(57)【要約】【課題】室内熱交換器を適切に洗浄可能な空気調和機を提供する。【解決手段】空気調和機１００は、圧縮機３１、凝縮器、室外膨張弁３４、及び蒸発器を順次に介して、冷凍サイクルで冷媒が循環する冷媒回路Ｑと、少なくとも圧縮機３１及び室外膨張弁３４を制御する制御部と、を備える。前記した凝縮器及び蒸発器の一方は室外熱交換器３２であり、他方は室内熱交換器１２であり、制御部は、水で濡れた状態の室内熱交換器１２を蒸発器として機能させ、この室内熱交換器１２を凍結させる。【選択図】図３
2018200128.tif 000002
【特許請求の範囲】
【請求項１】
圧縮機、凝縮器、膨張弁、及び蒸発器を順次に介して、冷凍サイクルで冷媒が循環する冷媒回路と、
少なくとも前記圧縮機及び前記膨張弁を制御する制御部と、を備え、
前記凝縮器及び前記蒸発器の一方は室外熱交換器であり、他方は室内熱交換器であり、
前記制御部は、水で濡れた状態の前記室内熱交換器を蒸発器として機能させ、当該室内熱交換器を凍結させること
を特徴とする空気調和機。
【請求項２】
前記制御部は、前記室内熱交換器の凍結及び解凍を順次に行うか、又は、前記室内熱交換器を結露させて、前記室内熱交換器を水で濡れた前記状態にすること
を特徴とする請求項１に記載の空気調和機。
【請求項３】
前記制御部が、前記室内熱交換器の凍結及び解凍を順次に行って、前記室内熱交換器を水で濡れた前記状態にする場合において、前記室内熱交換器の解凍時間は、その直前の凍結時間よりも短いこと
を特徴とする請求項２に記載の空気調和機。
【請求項４】
被空調空間に存在する人を検出する人検出部を備え、
前記制御部は、前記人検出部によって検出された人の頭部の高さが所定範囲内であり、かつ、当該人が室内機から見て左右方向又は奥行方向に往復している場合、水で濡れた前記状態の前記室内熱交換器を凍結させること
を特徴とする請求項１から請求項３のいずれか一項に記載の空気調和機。
【請求項５】
前記制御部は、ユーザによるリモコンの操作に基づいて、水で濡れた前記状態の前記室内熱交換器を凍結させること
を特徴とする請求項１から請求項３のいずれか一項に記載の空気調和機。
【発明の詳細な説明】
【技術分野】
【０００１】
本発明は、空気調和機に関する。
【背景技術】
【０００２】
空気調和機の室内熱交換器を清潔な状態にする技術として、例えば、特許文献１には、「暖房運転後に、前記フィン表面に水を付着させる水分付与手段を備える」空気調和機について記載されている。なお、前記した水分付与手段は、暖房運転後に冷房運転を行うことによって、室内熱交換器のフィン表面に水を付着させる。
【先行技術文献】
【特許文献】
【０００３】
【特許文献１】特許第４９３１５６６号公報
【発明の概要】
【発明が解決しようとする課題】
【０００４】
しかしながら、特許文献１に記載の技術において、暖房運転後に冷房運転を行ったとしても、室内熱交換器を洗浄するには、この室内熱交換器に付着する水の量が足りない可能性がある。
【０００５】
そこで、本発明は、室内熱交換器を適切に洗浄可能な空気調和機を提供することを課題とする。
【課題を解決するための手段】
【０００６】
前記課題を解決するために、本発明は、制御部が、水で濡れた状態の室内熱交換器を蒸発器として機能させ、当該室内熱交換器を凍結させることを特徴とする。
【発明の効果】
【０００７】
本発明によれば、室内熱交換器を適切に洗浄可能な空気調和機を提供できる。
【図面の簡単な説明】
【０００８】
【図１】本発明の実施形態に係る空気調和機が備える室内機、室外機、及びリモコンの正面図である。
【図２】本発明の実施形態に係る空気調和機が備える室内機の縦断面図である。
【図３】本発明の実施形態に係る空気調和機の冷媒回路を示す説明図である。
【図４】本発明の実施形態に係る空気調和機の機能ブロック図である。
【図５】本発明の実施形態に係る空気調和機の制御部が実行する洗浄処理のフローチャートである。
【図６】本発明の実施形態に係る空気調和機において、被空調空間にキッチンが存在する場合の圧縮機及び室内ファンの駆動状態を示す説明図である。
【図７】本発明の実施形態に係る空気調和機において、室内熱交換器を凍結させるための処理を示すフローチャートである。
【発明を実施するための形態】
【０００９】
≪実施形態≫
＜空気調和機の構成＞
図１は、実施形態に係る空気調和機１００が備える室内機１０、室外機３０、及びリモコン４０の正面図である。
空気調和機１００は、冷凍サイクル（ヒートポンプサイクル）で冷媒を循環させることによって、空調を行う機器である。空気調和機１００は、室内（被空調空間）に設置される室内機１０と、屋外に設置される室外機３０と、ユーザによって操作されるリモコン４０と、を備えている。
【００１０】
図１に示すように、室内機１０は、リモコン送受信部１１を備えている。リモコン送受信部１１は、赤外線通信等によって、リモコン４０との間で所定の信号を送受信する。例えば、リモコン送受信部１１は、運転／停止指令、設定温度の変更、運転モードの変更、タイマの設定等の信号をリモコン４０から受信する。また、リモコン送受信部１１は、室内温度の検出値等をリモコン４０に送信する。
【００１１】
なお、図１では省略しているが、室内機１０と室外機３０とは冷媒配管を介して接続されるとともに、通信線を介して接続されている。
【００１２】
図２は、室内機１０の縦断面図である。
室内機１０は、前記したリモコン送受信部１１（図１参照）の他に、室内熱交換器１２と、ドレンパン１３と、室内ファン１４と、筐体ベース１５と、フィルタ１６，１６と、前面パネル１７と、左右風向板１８と、上下風向板１９と、を備えている。
【００１３】
室内熱交換器１２は、その伝熱管１２ｇを通流する冷媒と、室内空気と、の間で熱交換が行われる熱交換器である。
ドレンパン１３は、室内熱交換器１２から滴り落ちる水を受けるものであり、室内熱交換器１２の下側に配置されている。なお、ドレンパン１３に滴り落ちた水は、ドレンホース（図示せず）を介して外部に排出される。
【００１４】
室内ファン１４は、例えば、円筒状のクロスフローファンであり、室内ファンモータ１４ａ（図４参照）によって駆動する。
筐体ベース１５は、室内熱交換器１２や室内ファン１４等の機器が設置される筐体である。
【００１５】
フィルタ１６，１６は、空気吸込口ｈ１等を介して取り込まれる空気から塵埃を除去するものであり、室内熱交換器１２の上側・前側に設置されている。
前面パネル１７は、前側のフィルタ１６を覆うように設置されるパネルであり、下端を軸として前側に回動可能になっている。なお、前面パネル１７が回動しない構成であってもよい。
【００１６】
左右風向板１８は、室内に吹き出される空気の風向きを、左右方向において調整する板状部材である。左右風向板１８は、室内ファン１４の下流側に配置され、左右風向板用モータ２１（図４参照）によって左右方向に回動するようになっている。
上下風向板１９は、室内に吹き出される空気の風向きを、上下方向において調整する板状部材である。上下風向板１９は、室内ファン１４の下流側に配置され、上下風向板用モータ２２（図４参照）によって上下方向に回動するようになっている。
【００１７】
空気吸込口ｈ１を介して吸い込まれた空気は、伝熱管１２ｇを通流する冷媒と熱交換し、熱交換した空気が吹出風路ｈ２に導かれる。この吹出風路ｈ２を通流する空気は、左右風向板１８及び上下風向板１９によって所定方向に導かれ、さらに、空気吹出口ｈ３を介して室内に吹き出される。
【００１８】
図３は、空気調和機１００の冷媒回路Ｑを示す説明図である。
なお、図３の実線矢印は、暖房運転時の冷媒の流れを示している。
また、図３の破線矢印は、冷房運転時の冷媒の流れを示している。
図３に示すように、室外機３０は、圧縮機３１と、室外熱交換器３２と、室外ファン３３と、室外膨張弁３４（膨張弁）と、四方弁３５と、を備えている。
【００１９】
圧縮機３１は、圧縮機モータ３１ａの駆動によって、低温低圧のガス冷媒を圧縮し、高温高圧のガス冷媒として吐出する機器である。
室外熱交換器３２は、その伝熱管（図示せず）を通流する冷媒と、室外ファン３３から送り込まれる外気と、の間で熱交換が行われる熱交換器である。
【００２０】
室外ファン３３は、室外ファンモータ３３ａの駆動によって、室外熱交換器３２に外気を送り込むファンであり、室外熱交換器３２の付近に設置されている。
室外膨張弁３４は、「凝縮器」（室外熱交換器３２及び室内熱交換器１２の一方）で凝縮した冷媒を減圧する機能を有している。なお、室外膨張弁３４において減圧された冷媒は、「蒸発器」（室外熱交換器３２及び室内熱交換器１２の他方）に導かれる。
【００２１】
四方弁３５は、空気調和機１００の運転モードに応じて、冷媒の流路を切り替える弁である。例えば、冷房運転時（破線矢印を参照）には、圧縮機３１、室外熱交換器３２（凝縮器）、室外膨張弁３４、及び室内熱交換器１２（蒸発器）が、四方弁３５を介して環状に順次接続されてなる冷媒回路Ｑにおいて、冷凍サイクルで冷媒が循環する。
【００２２】
また、暖房運転時（実線矢印を参照）には、圧縮機３１、室内熱交換器１２（凝縮器）、室外膨張弁３４、及び室外熱交換器３２（蒸発器）が、四方弁３５を介して環状に順次接続されてなる冷媒回路Ｑにおいて、冷凍サイクルで冷媒が循環する。
【００２３】
すなわち、圧縮機３１、「凝縮器」、室外膨張弁３４、及び「蒸発器」を順次に介して、冷凍サイクルで冷媒が循環する冷媒回路Ｑにおいて、前記した「凝縮器」及び「蒸発器」の一方は室外熱交換器３２であり、他方は室内熱交換器１２である。
【００２４】
図４は、空気調和機１００の機能ブロック図である。
図４に示す室内機１０は、前記した構成の他に、撮像部２３と、環境検出部２４と、室内制御回路２５と、を備えている。
撮像部２３は、室内を撮像するものであり、ＣＣＤセンサ（Charge Coupled Device）やＣＭＯＳセンサ（Complementary Metal Oxide Semiconductor）等の撮像素子を備えている。この撮像部２３の撮像結果に基づき、室内制御回路２５によって、室内に存在する人が検出される。なお、室内（被空調空間）に存在する人を検出する「人検出部」は、撮像部２３と、室内制御回路２５と、を含んで構成される。
【００２５】
環境検出部２４は、室内の状態や室内機１０の機器の状態を検出する機能を有している。図４に示すように、環境検出部２４は、室内温度センサ２４ａと、湿度センサ２４ｂと、室内熱交換器温度センサ２４ｃと、を備えている。
室内温度センサ２４ａは、室内の温度を検出するセンサであり、室内機１０の所定位置（例えば、図２に示すフィルタ１６，１６の空気吸込側）に設置されている。
【００２６】
湿度センサ２４ｂは、室内の空気の湿度を検出するセンサであり、室内機１０の所定位置に設置されている。
室内熱交換器温度センサ２４ｃは、室内熱交換器１２（図２参照）の温度を検出するセンサであり、室内熱交換器１２に設置されている。
室内温度センサ２４ａ、湿度センサ２４ｂ、及び室内熱交換器温度センサ２４ｃの検出値は、室内制御回路２５に出力される。
【００２７】
室内制御回路２５は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００２８】
図４に示すように、室内制御回路２５は、記憶部２５ａと、室内制御部２５ｂと、を備えている。
記憶部２５ａには、所定のプログラムの他、撮像部２３の撮像結果、環境検出部２４の検出結果、リモコン送受信部１１を介して受信したデータ等が記憶される。
室内制御部２５ｂは、記憶部２５ａに記憶されているデータに基づいて、所定の制御を実行する。なお、室内制御部２５ｂが実行する処理については後記する。
【００２９】
室外機３０は、前記した構成の他に、室外温度センサ３６と、室外制御回路３７と、を備えている。
室外温度センサ３６は、室外の温度（外気温）を検出するセンサであり、室外機３０の所定箇所に設置されている。その他、図４では省略しているが、室外機３０は、圧縮機３１（図３参照）の吸入温度、吐出温度、吐出圧力等を検出する各センサも備えている。室外温度センサ３６を含む各センサの検出値は、室外制御回路３７に出力される。
【００３０】
室外制御回路３７は、図示はしないが、ＣＰＵ、ＲＯＭ、ＲＡＭ、各種インタフェース等の電子回路を含んで構成され、室内制御回路２５と通信線を介して接続されている。図４に示すように、室外制御回路３７は、記憶部３７ａと、室外制御部３７ｂと、を備えている。
【００３１】
記憶部３７ａには、所定のプログラムの他、室外温度センサ３６を含む各センサの検出値等が記憶される。
室外制御部３７ｂは、記憶部３７ａに記憶されているデータに基づいて、圧縮機モータ３１ａ、室外ファンモータ３３ａ、室外膨張弁３４等を制御する。以下では、室内制御回路２５及び室外制御回路３７を総称して「制御部Ｋ」という。
【００３２】
次に、室内熱交換器１２（図２参照）を洗浄するための一連の処理について説明する。
前記したように、室内熱交換器１２の上側・前側（空気吸込側）には、塵や埃を捕集するためのフィルタ１６，１６（図２参照）が設置されている。しかしながら、細かい塵や埃の他、調理等に伴う油分がフィルタ１６を通り抜けて室内熱交換器１２に付着する可能性がある。したがって、室内熱交換器１２を定期的に洗浄することが望まれる。そこで、本実施形態では、室内機１０内の空気に含まれる水分を室内熱交換器１２で凍結させ、その後、室内熱交換器１２の氷や霜を溶かすことで、室内熱交換器１２を洗浄するようにしている。このような一連の処理を、室内熱交換器１２の「洗浄処理」という。
【００３３】
図５は、空気調和機１００の制御部Ｋが実行する洗浄処理のフローチャートである（適宜、図３、図４を参照）。
なお、図５の「ＳＴＡＲＴ」時までは、所定の空調運転（冷房運転、暖房運転等）が行われていたものとする。また、室内熱交換器１２の洗浄処理の開始条件が「ＳＴＡＲＴ」時に成立したものとする。この「洗浄処理の開始条件」とは、例えば、前回の洗浄処理の終了時から空調運転の実行時間を積算した値が、所定値に達したという条件である。
【００３４】
ステップＳ１０１において制御部Ｋは、空調運転を所定時間（例えば、数分間）停止させる。前記した所定時間は、冷凍サイクルを安定させるための時間であり、予め設定されている。例えば、「ＳＴＡＲＴ」時まで行われていた暖房運転を中断して、室内熱交換器１２を凍結させる際（Ｓ１０３）、制御部Ｋは、暖房運転時とは逆向きに冷媒が流れるように四方弁３５を制御する。ここで、仮に、冷媒の流れる向きを急に変えると、圧縮機３１に過負荷がかかり、また、冷凍サイクルの不安定化を招く可能性がある。そこで、本実施形態では、制御部Ｋが、室内熱交換器１２の凍結（Ｓ１０３）に先立って所定時間、空調運転を停止するようにしている（Ｓ１０１）。
【００３５】
なお、冷房運転を中断して室内熱交換器１２を凍結させる場合には、ステップＳ１０１の処理を省略してもよい。冷房運転中（ＳＴＡＲＴの直前）に冷媒が流れていた向きと、室内熱交換器１２の凍結中（Ｓ１０３）に冷媒が流れる向きと、は同じだからである。
【００３６】
次に、ステップＳ１０２において制御部Ｋは、被空調空間にキッチンが存在するか否かを判定する。すなわち、制御部Ｋは、前記した「人検出部」（撮像部２３及び室内制御部２５ｂ：図４参照）によって検出された人の位置の変化に基づいて、被空調空間にキッチンが存在するか否かを判定する。
【００３７】
ステップＳ１０２の処理について具体的に説明すると、まず、制御部Ｋは、撮像部２３の撮像結果に基づいて、被空調空間に存在する人を検出する。そして、制御部Ｋは、検出された人が立った状態で、室内機１０から見て左右方向又は奥行方向に（所定距離内で）往復している場合、その人はキッチンで調理している（つまり、被空調空間にキッチンが存在する）と判定する。人がキッチンで調理している場合、その人が立った状態で左右方向又は奥行方向に往復することが多いからである。なお、被空調空間に存在する人が立った状態であるか否かは、その人の頭部の高さに基づいて判定される。
【００３８】
ステップＳ１０２において被空調空間にキッチンが存在する場合（Ｓ１０２：Ｙｅｓ）、制御部Ｋの処理はステップＳ１０３に進む。この場合、調理に伴って発生する油分が室内熱交換器１２に付着している可能性が高い。したがって、制御部Ｋが室内熱交換器１２の凍結及び解凍を２回繰り返すことで（Ｓ１０３〜Ｓ１０６）、室内熱交換器１２に付着した油分等をしっかりと洗い流すようにしている。以下では、これらの処理について順に説明する。
【００３９】
ステップＳ１０３において制御部Ｋは、室内熱交換器１２を凍結させる。すなわち、制御部Ｋは、室内熱交換器１２を蒸発器として機能させ、室内機１０内の空気に含まれる水分を室内熱交換器１２の表面に着霜させて凍結させる。なお、ステップＳ１０３の処理の詳細については後記する。
【００４０】
次に、ステップＳ１０４において制御部Ｋは、室内熱交換器１２を解凍する。例えば、制御部Ｋは、図３に示す圧縮機３１、室外ファン３３、及び室内ファン１４を含む機器の停止状態を所定時間継続させる。これによって、室内熱交換器１２の霜が室温で自然に溶けるため、室内熱交換器１２に付着していた塵や埃が洗い流される。そして、塵や埃を含む水はドレンパン１３に落下し、ドレンホース（図示せず）を介して外部に排出される。
【００４１】
このように、室内熱交換器１２の凍結（Ｓ１０３）及び解凍（Ｓ１０４）が順次に行われることで、室内熱交換器１２の霜が溶けて、室内熱交換器１２が水で濡れた状態になる。さらに、後記する２回目の凍結（Ｓ１０５）が行われると、水で濡れていた室内熱交換器１２の表面に氷の層ができるため、１回目の凍結時よりも室内熱交換器１２に霜が付きやくなる。
【００４２】
なお、ステップＳ１０４の「解凍」を終えた時点で、室内熱交換器１２に付着した霜がほぼ完全に溶けていてもよいし、また、室内熱交換器１２に霜が残っていてもよい。いずれの場合でも、室内熱交換器１２が水で濡れた状態になるからである。
【００４３】
また、室内熱交換器１２に付着した油分は、１回目の凍結及び解凍（Ｓ１０３、Ｓ１０４）によって、その一部が洗い流されるものの、残りは室内熱交換器１２に残存している可能性が高い。塵や埃に比べて、油分は洗い流されにくいからである。
【００４４】
図６は、被空調空間にキッチンが存在する場合の圧縮機３１及び室内ファン１４の駆動状態を示す説明図である。
なお、図６の横軸は時刻である。また、図６の縦軸は、圧縮機３１（図３参照）のＯＮ／ＯＦＦ、及び室内ファン１４（図３参照）のＯＮ／ＯＦＦを示している。
【００４５】
図６に示す例では、所定の空調運転が時刻ｔ１まで行われており、圧縮機３１及び室内ファン１４が駆動している（つまり、ＯＮ状態である）。その後、時刻ｔ１〜ｔ２において圧縮機３１及び室内ファン１４が停止している（図５のＳ１０１）。そして、時刻ｔ２〜ｔ３において室内熱交換器１２が凍結され（Ｓ１０３）、さらに、時刻ｔ３〜ｔ４において室内熱交換器１２が解凍されている（Ｓ１０４）。前記したように、室内熱交換器１２に付着した霜は、室温で自然に解凍される。
【００４６】
また、時刻ｔ２〜ｔ３において室内ファン１４が停止状態であっても、室内熱交換器１２において水蒸気が氷結することで室内機１０内の水蒸気圧が低くなり、水蒸気の拡散現象等（自然対流）によって室内熱交換器１２の表面に水蒸気が供給され続けて、霜が成長する。
【００４７】
なお、制御部Ｋが室内熱交換器１２の凍結（図５のＳ１０３）及び解凍（Ｓ１０４）を順次に行う場合において、室内熱交換器１２の解凍時間（時刻ｔ３〜ｔ４：例えば、３分間）は、その直前の凍結時間（時刻ｔ２〜ｔ３：例えば、２０分間）よりも短いことが好ましい。仮に、室内熱交換器１２の解凍時間が長すぎると、場合によっては、室内熱交換器１２が乾燥しきって、水で濡れた状態でなくなるためである。
【００４８】
再び、図５に戻って説明を続ける。
ステップＳ１０５において制御部Ｋは、室内熱交換器１２を再び凍結させる。すなわち、制御部Ｋは、室内熱交換器１２を蒸発器として機能させ、室内機１０内の空気に含まれる水分を室内熱交換器１２の表面に着霜させて凍結させる。
【００４９】
ステップＳ１０５の「凍結」が行われる際には、前記したように、室内熱交換器１２が水で濡れた状態になっている。このような状態で、室内熱交換器１２の伝熱管１２ｇ（図２参照）に低温の冷媒が流れると、室内熱交換器１２の表面の水が冷やされて氷になる。したがって、室内機１０内の空気に含まれる水分が、室内熱交換器１２の氷の層に着霜しやすくなる。その結果、室内熱交換器１２の油分等を洗い流すための十分な量の水分を、前記した氷の層及び霜として確保できる。
【００５０】
このようにして制御部Ｋは、前記した「人検出部」によって検出された人の頭部の高さが所定範囲内であり、かつ、当該人が室内機１０から見て左右方向又は奥行方向に往復している場合（Ｓ１０２：Ｙｅｓ）、水で濡れた状態の室内熱交換器１２を再び凍結させる（Ｓ１０５）。
【００５１】
次に、ステップＳ１０６において制御部Ｋは、室内熱交換器１２を解凍する。例えば、制御部Ｋは、圧縮機３１、室外ファン３３、及び室内ファン１４を含む機器の停止状態を所定時間継続させる。これによって、室内熱交換器１２における氷の層や多量の霜が室温で溶けるため、室内熱交換器１２に残存していた油分が洗い流される。さらに、前記した氷の層に混在していた塵や埃も、油分とともに洗い流される。
【００５２】
次に、ステップＳ１０７において制御部Ｋは、室内熱交換器１２を乾燥させる。例えば、制御部Ｋは、ステップＳ１０７の処理として暖房運転及び送風運転を順次に実行する。前記した暖房運転によって室内熱交換器１２に高温の冷媒が流れるため、室内熱交換器１２の表面の水が蒸発する。さらに、暖房運転後の送風運転によって、室内機１０の内部が乾燥するため、防菌・防黴の効果が奏される。ステップＳ１０７の処理を行った後、制御部Ｋは、一連の洗浄処理を終了する（ＥＮＤ）。
【００５３】
図６に示す例では、時刻ｔ２〜ｔ４において１回目の凍結及び解凍が順次に行われた後（図５のステップＳ１０３、Ｓ１０４）、時刻ｔ４〜ｔ６において２回目の凍結及び解凍が順次に行われている（図５のステップＳ１０５、Ｓ１０６）。その後、時刻ｔ６〜ｔ８において暖房運転及び送風運転が順次に行われることで、室内熱交換器１２が乾燥する（図５のステップＳ１０７）。
【００５４】
また、図５のステップＳ１０２において、被空調空間にキッチンが存在しないと判定した場合（Ｓ１０２：Ｎｏ）、制御部Ｋの処理はステップＳ１０５に進む。この場合、室内熱交換器１２には油汚れがほとんどない（又は少ない）可能性が高い。したがって、制御部Ｋは、室内熱交換器１２の凍結（Ｓ１０５）及び解凍（Ｓ１０６）を順次に１回ずつ行う。これによって、室内熱交換器１２に付着した塵や埃が洗い流される。そして、ステップＳ１０７において制御部Ｋは、防菌・防黴のために室内熱交換器１２を乾燥させ、一連の洗浄処理を終了する（ＥＮＤ）。
【００５５】
図７は、室内熱交換器１２を凍結させるための処理（図５のＳ１０３）を示すフローチャートである（適宜、図３、図４を参照）。
ステップＳ１０３ａにおいて制御部Ｋは、四方弁３５を制御する。すなわち、制御部Ｋは、室外熱交換器３２を凝縮器として機能させ、室内熱交換器１２を蒸発器として機能させるように四方弁３５を制御する。なお、「洗浄処理」（図５に示す一連の処理）を行う直前に冷房運転を行っていた場合、制御装置は、ステップＳ１０３ａにおいて四方弁３５の状態を維持する。
【００５６】
ステップＳ１０３ｂにおいて制御部Ｋは、凍結時間を設定する。この「凍結時間」とは、室内熱交換器１２を凍結させるための所定の制御（Ｓ１０３ｃ〜Ｓ１０３ｅ）が継続される時間である。例えば、制御部Ｋは、湿度センサ２４ｂ（図４参照）の検出値が高いほど、凍結時間を短く設定する。これによって、室内熱交換器１２の洗浄に要する適量の水分を室内熱交換器１２に着霜させることができる。なお、室内熱交換器１２の凍結時間が固定値であってもよい。
【００５７】
次に、ステップＳ１０３ｃにおいて制御部Ｋは、圧縮機３１の回転速度を設定する。その一例を挙げると、制御部Ｋは、室外温度センサ３６（図４参照）の検出値が高いほど、圧縮機モータ３１ａの回転速度を大きくする。室内熱交換器１２において室内空気から熱を奪うには、それに対応して、室外熱交換器３２での放熱が充分に行われることを要するからである。このように圧縮機３１の回転速度を設定することで、室外熱交換器３２での熱交換が適切に行われ、ひいては、室内熱交換器１２の凍結も適切に行われる。
【００５８】
次に、ステップＳ１０３ｄにおいて制御部Ｋは、室外膨張弁３４の開度を調整する。なお、ステップＳ１０３ｄでは、通常の冷房運転時よりも室外膨張弁３４の開度を小さくすることが望ましい。これによって、通常の冷房運転時よりも低温低圧の冷媒が、室外膨張弁３４を介して室内熱交換器１２に流入する。したがって、室内熱交換器１２が凍結しやすくなり、また、室内熱交換器１２の凍結に要する消費電力量を削減できる。
【００５９】
ステップＳ１０３ｅにおいて制御部Ｋは、室内熱交換器１２の温度が所定範囲内であるか否かを判定する。前記した「所定範囲」とは、室内機１０内の空気に含まれる水分が室内熱交換器１２で凍結し得る範囲であり、予め設定されている。なお、室内熱交換器１２の温度は、室内熱交換器温度センサ２４ｃ（図４参照）によって検出される。
【００６０】
ステップＳ１０３ｅにおいて室内熱交換器１２の温度が所定範囲外である場合（Ｓ１０３ｅ：Ｎｏ）、制御部Ｋの処理はステップＳ１０３ｄに戻る。例えば、室内熱交換器１２の温度が所定範囲よりも高い場合、制御部Ｋは、室外膨張弁３４の開度をさらに小さくする（Ｓ１０３ｄ）。このように制御部Ｋは、室内熱交換器１２を凍結させているとき、室内熱交換器１２の温度が所定範囲内に収まるように室外膨張弁３４の開度を調整する。
【００６１】
なお、室内熱交換器１２を凍結させているとき、制御部Ｋは、室内ファン１４を停止状態にしてもよいし（図６の時刻ｔ２〜ｔ３を参照）、また、室内ファン１４を所定の回転速度で駆動してもよい。いずれの場合でも室内熱交換器１２の凍結が進むからである。
【００６２】
図７のステップＳ１０３ｅにおいて室内熱交換器１２の温度が所定範囲内である場合（Ｓ１０３ｅ：Ｙｅｓ）、制御部Ｋの処理はステップＳ１０３ｆに進む。
ステップＳ１０３ｆにおいて制御部Ｋは、ステップＳ１０３ｂで設定した凍結時間が経過したか否かを判定する。「ＳＴＡＲＴ」時から所定の凍結時間が経過していない場合（Ｓ１０３ｆ：Ｎｏ）、制御部Ｋの処理はステップＳ１０３ｃに戻る。一方、「ＳＴＡＲＴ」時から所定の凍結時間が経過した場合（Ｓ１０３ｆ：Ｙｅｓ）、制御部Ｋは、室内熱交換器１２を凍結させるための一連の処理を終了する（ＥＮＤ）。
【００６３】
なお、図５に示すステップＳ１０５の処理（室内熱交換器１２の凍結）に関しては、ステップＳ１０３と同様であるから、詳細な説明を省略する。
【００６４】
＜効果＞
本実施形態によれば、被空調空間にキッチンが存在する場合（図５のＳ１０２：Ｙｅｓ）、制御部Ｋは、室内熱交換器１２の凍結及び解凍を順次に行って水で濡らした状態にした後（Ｓ１０３、Ｓ１０４）、この室内熱交換器１２を凍結させる（Ｓ１０５）。これによって、室内熱交換器１２の表面に氷の層ができるため、室内機１０内の空気に含まれる水分が室内熱交換器１２に着霜しやすくなる。その結果、室内熱交換器１２において多量の水分が、氷の層及び霜として付着する。これらの氷や霜を溶かすことで室内熱交換器１２に多量の水が流れるため、室内熱交換器１２に付着した塵や埃の他、１回の凍結及び解凍ではとれにくい油分も洗い流すことができる。
【００６５】
また、被空調空間にキッチンが存在しない場合（図５のＳ１０２：Ｎｏ）、制御部Ｋは、室内熱交換器１２の凍結及び解凍を１回ずつ行う（Ｓ１０５、Ｓ１０６）。したがって、室内熱交換器１２の凍結及び解凍を２回ずつ行う場合に比べて、一連の洗浄処理に要する時間を短くすることができる。
【００６６】
≪変形例≫
以上、本発明に係る空気調和機１００について実施形態で説明したが、本発明はこれらの記載に限定されるものではなく、種々の変更を行うことができる。
例えば、実施形態では、室内熱交換器１２の凍結及び解凍を順次に行って、室内熱交換器１２を水で濡れた状態にする処理（図５のＳ１０３、Ｓ１０４）について説明したが、これに限らない。すなわち、図５に示すステップＳ１０３、Ｓ１０４の処理に代えて、室内熱交換器１２を結露させてもよい（水分を凍結させないで、結露にとどめてもよい）。これによって、室内熱交換器１２が水で濡れた状態になるため、その後に室内熱交換器１２を蒸発器として機能させて多量の霜を付着させることができる。
【００６７】
このように室内熱交換器１２を結露させる場合において、制御部Ｋは、通常の冷房運転時よりも冷媒の蒸発温度が低くなるようにする。具体的に説明すると、制御部Ｋは、図４に示す室内温度センサ２４ａの検出値と、湿度センサ２４ｂの検出値と、に基づいて、室内空気の露点を算出する。そして、制御部Ｋは、室内熱交換器１２の温度が、前記した露点以下であり、かつ、所定の凍結温度よりも高くなるように、室外膨張弁３４の開度等を調整する。前記した「凍結温度」とは、室内空気の温度を低下させたとき、室内空気に含まれる水分が室内熱交換器１２において凍結し始める温度である。
【００６８】
なお、室内熱交換器１２を結露させる場合の制御内容は、室外膨張弁３４の開度が異なる点を除いて、室内熱交換器１２を凍結させる場合の制御内容（図７参照）と同様である。したがって、実施形態で説明した事項は、室内熱交換器１２を結露させる場合にも適用できる。また、結露によって室内熱交換器１２を水で濡らした後の処理は、図５に示すステップＳ１０５〜Ｓ１０７（室内熱交換器１２の凍結、結露、及び乾燥）と同様である。
【００６９】
また、実施形態では、制御部Ｋが、圧縮機３１を含む各機器の停止状態を所定時間継続させることで、室内熱交換器１２を解凍する処理（図５のＳ１０４、Ｓ１０６）について説明したが、これに限らない。例えば、暖房運転時と同様に、制御部Ｋが室内熱交換器１２を凝縮器として機能させることで、室内熱交換器１２を解凍するようにしてもよい。また、制御部Ｋが送風運転を実行することで、室内熱交換器１２を解凍するようにしてもよい。
【００７０】
また、実施形態では、制御部Ｋが暖房運転及び送風運転を順次に行うことで（図６のｔ６〜ｔ８）、室内熱交換器１２を乾燥させる処理について説明したが、これに限らない。すなわち、制御部Ｋが、暖房運転のみを所定時間行うことで、室内熱交換器１２を乾燥させるようにしてもよい。また、制御部Ｋが、送風運転のみを所定時間行うことで、室内熱交換器１２を乾燥させるようにしてもよい。
【００７１】
また、実施形態では、制御部Ｋが、撮像部２３（図４参照）の撮像結果に基づいて、被空調空間にキッチンが存在するか否かを判定する処理（図５のＳ１０２）について説明したが、これに限らない。例えば、サーモパイルや焦電型赤外線センサ等の室内温度センサ２４ａ（人検出部：図４参照）によって、室内の熱画像を取得するようにしてもよい。この場合において制御部Ｋは、前記した熱画像に基づいて人の位置の変化を検出し、被空調空間にキッチンが存在するか否かを判定する。
【００７２】
また、実施形態では、被空調空間にキッチンが存在すると判定した場合（図５のＳ１０２：Ｙｅｓ）、制御部Ｋが、室内熱交換器１２の凍結及び解凍を２回繰り返す処理（Ｓ１０３〜Ｓ１０６）について説明したが、これに限らない。例えば、ユーザによるリモコン４０（図１参照）の操作に基づいて、制御部Ｋが、室内熱交換器１２の凍結及び解凍を２回繰り返すようにしてもよい。言い換えると、ユーザによるリモコン４０の操作に基づいて、制御部Ｋが、水で濡れた状態の室内熱交換器１２を凍結させるようにしてもよい。これによって、室内熱交換器１２の洗浄方法をユーザの意図に沿って適切に設定できる。
【００７３】
また、被空調空間にキッチンが存在するか否かに関わらず、室内熱交換器１２の凍結及び解凍を２回繰り返すようにしてもよい。また、室内熱交換器１２の凍結及び解凍を３回以上繰り返すようにしてもよい。これによって、室内熱交換器１２に付着した塵、埃、油分等の汚れを適切に洗い流すことができる。
【００７４】
また、実施形態では、室内熱交換器１２を凍結させているとき、制御部Ｋが、圧縮機モータ３１ａの回転速度を設定し、室外膨張弁３４の開度を調整する処理（図７のＳ１０３ｃ、Ｓ１０３ｄ）について説明したが、これに限らない。例えば、室内熱交換器１２を凍結（又は結露）させているとき、制御部Ｋが、室外膨張弁３４を所定開度で維持し、室内熱交換器１２の温度が所定の目標温度に近づくように圧縮機モータ３１ａの回転速度を調整するようにしてもよい。
【００７５】
また、実施形態では、室内機１０（図３参照）及び室外機３０（図３参照）が一台ずつ設けられる構成について説明したが、これに限らない。すなわち、並列接続された複数台の室内機を設けてもよいし、並列接続された複数台の室外機を設けてもよい。
【００７６】
また、実施形態は本発明を分かりやすく説明するために詳細に記載したものであり、必ずしも説明した全ての構成を備えるものに限定されない。また、実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【００７７】
１００  空気調和機
１０  室内機
１２  室内熱交換器（蒸発器／凝縮器）
１４    室内ファン
１８    左右風向板
１９    上下風向板
２３    撮像部（人検出部）
３０    室外機
３１    圧縮機
３２    室外熱交換器（凝縮器／蒸発器）
３３    室外ファン
３４    室外膨張弁（膨張弁）
３５    四方弁
４０    リモコン
Ｋ      制御部
Ｑ  冷媒回路
【図１】
2018200128.tif 000003
【図２】
2018200128.tif 000004
【図３】
2018200128.tif 000005
【図４】
2018200128.tif 000006
【図５】
2018200128.tif 000007
【図６】
2018200128.tif 000008
【図７】
2018200128.tif 000009
【手続補正書】
【提出日】平成30年4月13日(2018.4.13)
【手続補正１】
【補正対象書類名】特許請求の範囲
【補正対象項目名】請求項１
【補正方法】変更
【補正の内容】
【請求項１】
圧縮機、凝縮器、膨張弁、及び蒸発器を順次に介して、冷凍サイクルで冷媒が循環する冷媒回路と、
少なくとも前記圧縮機及び前記膨張弁を制御する制御部と、を備え、
前記凝縮器及び前記蒸発器の一方は室外熱交換器であり、他方は室内熱交換器であり、
前記制御部は、前記室内熱交換器が水で濡れた状態で、前記圧縮機の駆動を開始して前記室内熱交換器を蒸発器として機能させ、当該室内熱交換器を凍結させること
を特徴とする空気調和機。
【手続補正２】
【補正対象書類名】明細書
【補正対象項目名】０００６
【補正方法】変更
【補正の内容】
【０００６】
前記課題を解決するために、本発明は、制御部が、室内熱交換器が水で濡れた状態で、圧縮機の駆動を開始して室内熱交換器を蒸発器として機能させ、当該室内熱交換器を凍結させることを特徴とする。
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
圧縮機、凝縮器、膨張弁、及び蒸発器を順次に介して、冷凍サイクルで冷媒が循環する冷媒回路と、
少なくとも前記圧縮機及び前記膨張弁を制御する制御部と、を備え、
前記凝縮器及び前記蒸発器の一方は室外熱交換器であり、他方は室内熱交換器であり、
前記制御部は、前記室内熱交換器の凍結及び解凍を順次に行うか、又は、前記室内熱交換器を結露させて、前記室内熱交換器を水で濡れた状態にし、前記室内熱交換器が水で濡れた前記状態で、前記圧縮機の駆動を開始して前記室内熱交換器を蒸発器として機能させ、当該室内熱交換器を凍結させ、
前記制御部が、前記室内熱交換器の凍結及び解凍を順次に行って、前記室内熱交換器を水で濡れた前記状態にする場合において、前記室内熱交換器の解凍時間は、その直前の凍結時間よりも短いこと
を特徴とする空気調和機。
【請求項２】
被空調空間に存在する人を検出する人検出部を備え、
前記制御部は、前記人検出部によって検出された人の頭部の高さが所定範囲内であり、かつ、当該人が室内機から見て左右方向又は奥行方向に往復している場合、水で濡れた前記状態の前記室内熱交換器を凍結させること
を特徴とする請求項１に記載の空気調和機。
【請求項３】
前記制御部は、ユーザによるリモコンの操作に基づいて、水で濡れた前記状態の前記室内熱交換器を凍結させること
を特徴とする請求項１に記載の空気調和機。
【請求項４】
圧縮機、凝縮器、膨張弁、及び蒸発器を順次に介して、冷凍サイクルで冷媒が循環する冷媒回路と、
少なくとも前記圧縮機及び前記膨張弁を制御する制御部と、
被空調空間に存在する人を検出する人検出部と、を備え、
前記凝縮器及び前記蒸発器の一方は室外熱交換器であり、他方は室内熱交換器であり、
前記制御部は、前記室内熱交換器が水で濡れた状態で、前記圧縮機の駆動を開始して前記室内熱交換器を蒸発器として機能させ、当該室内熱交換器を凍結させ、
前記制御部は、前記人検出部によって検出された人の頭部の高さが所定範囲内であり、かつ、当該人が室内機から見て左右方向又は奥行方向に往復している場合、水で濡れた前記状態の前記室内熱交換器を凍結させること
を特徴とする空気調和機。
【手続補正２】
【補正対象書類名】明細書
【補正対象項目名】０００６
【補正方法】変更
【補正の内容】
【０００６】
前記課題を解決するために、本発明は、制御部が、室内熱交換器の凍結及び解凍を順次に行うか、又は、前記室内熱交換器を結露させて、前記室内熱交換器を水で濡れた状態にし、前記室内熱交換器が水で濡れた前記状態で、圧縮機の駆動を開始して前記室内熱交換器を蒸発器として機能させ、当該室内熱交換器を凍結させ、前記制御部が、前記室内熱交換器の凍結及び解凍を順次に行って、前記室内熱交換器を水で濡れた前記状態にする場合において、前記室内熱交換器の解凍時間は、その直前の凍結時間よりも短いことを特徴とする。
また、本発明は、制御部が、室内熱交換器が水で濡れた状態で、圧縮機の駆動を開始して前記室内熱交換器を蒸発器として機能させ、当該室内熱交換器を凍結させ、人検出部によって検出された人の頭部の高さが所定範囲内であり、かつ、当該人が室内機から見て左右方向又は奥行方向に往復している場合、水で濡れた前記状態の前記室内熱交換器を凍結させることを特徴とする。